(57)【要約】【課題】複数の椅子をネスティングした際、座体のクッションに押圧痕が形成されたり、前後の椅子の座シェルや背凭れに傷が付くのを防止する。【解決手段】互いの対向面が横杆６により連結された左右１対の脚体２により、座体３を、ほぼ水平の使用位置と、ほぼ垂直をなす不使用位置とに回動可能に支持し、かつ座体３を不使用位置とすることにより、複数の椅子１を前後に近接させてネスティングしうるようにした椅子１において、座体３における外シェル７の左右の側縁部に、該外シェル７の上面に載設したクッション材９の側方において上向きに突設するとともに、複数の椅子１、１をネスティングしたとき、後方の椅子１における左右の脚体２の前面の一部に当接する１対の当接片１４を設ける。【選択図】        図６
2005040189.tif 000002
【特許請求の範囲】
【請求項１】
互いの対向面が横杆により連結された左右１対の脚体により、座体を、ほぼ水平の使用位置と、ほぼ垂直をなす不使用位置とに回動可能に支持し、かつ座体を不使用位置とすることにより、複数の椅子を前後に近接させてネスティングしうるようにした椅子において、前記座体における座シェルの左右の側縁部に、該座シェルの上面に載設したクッション材の側方において上向きに突設するとともに、複数の椅子をネスティングしたとき、後方の椅子における左右の脚体の前面の一部に当接する１対の当接片を設けたことを特徴とする椅子。
【請求項２】
当接片を、座体の枢軸と近接する位置に設けるとともに、座体を不使用位置に回動したとき、当接片が枢軸のほぼ後方に位置するようにした請求項１記載の椅子。
【請求項３】
脚体が、斜め後ろ上方を向く前脚と、斜め前上方を向く前脚よりも短寸の後脚とからなり、かつ該後脚の上端を、前端部が前脚の前面より前方に突出する連結部材をもって前脚の中間部に結合したものにおいて、当接片の後端を、ネスティングした後方の椅子における前記連結部材の前端面と当接しうるようにした請求項１または２記載の椅子。
【発明の詳細な説明】
【０００１】
【発明の属する技術分野】
本発明は、同一形状の椅子同士を、前後方向に重ねてネスティングしうるようにした椅子に関する。
【０００２】
【従来の技術】
この種の椅子としては、脚体に、座体を、ほぼ水平な使用位置と、ほぼ垂直をなす不使用位置とに回動可能に取付け、椅子を収納保管する際には、座体を不使用位置まで回動させて、椅子同士を前後方向からネスティングしうるようにしたものがある（例えば特許文献１、２参照）。
【０００３】
【特許文献１】
特開２００１−１２８７７５号公報（図６）
【特許文献２】
特開２００３−１５９１５０号公報（図３）
【０００４】
【発明が解決しようとする課題】
上記特許文献１に記載されている従来の椅子では、複数脚の椅子を前後方向に強く押し込んでネスティングすると、上向きに回動させた座体のクッションの座面が、背凭れの前面と強く当接し、凹んだ状態で保管されることがある。
【０００５】
このようになると、ネスティングされた椅子を使用状態としたとき、しばらくの間、クッションに押圧痕が残り、見栄えが悪くなる。
【０００６】
一方、上記特許文献２に記載されて椅子においては、座体の下面に、これを水平の使用位置としたとき、脚体の横杆に当接する正面視ほぼ上向コ字状の支持杆が突設されているため、座体を上向回動させてネスティングしたとき、隣接する前方の椅子の座体のクッションと当接し、その座面に押圧痕が形成される恐れがある。
また、前方の椅子の背凭れと、後方の椅子の座板（座シェル）とが当接し、傷が付く恐れもある。
【０００７】
本発明は、上記問題点に鑑みてなされたもので、ネスティング時において座体のクッションが後方の椅子に強く当接することのないようにようにし、座面に押圧痕等が形成されるのを防止するとともに、前後の椅子の背凭れと座シェルとが強く当接して、傷が付くのを防止しうるようにした椅子を提供することを目的としている。
【０００８】
【課題を解決するための手段】
本発明によると、上記課題は、次のようにして解決される。
（１）互いの対向面が横杆により連結された左右１対の脚体により、座体を、ほぼ水平の使用位置と、ほぼ垂直をなす不使用位置とに回動可能に支持し、かつ座体を不使用位置とすることにより、複数の椅子を前後に近接させてネスティングしうるようにした椅子において、前記座体における座シェルの左右の側縁部に、該座シェルの上面に載設したクッション材の側方において上向きに突設するとともに、複数の椅子をネスティングしたとき、後方の椅子における左右の脚体の前面の一部に当接する１対の当接片を設ける。
【０００９】
（２）上記（１）項において、当接片を、座体の枢軸と近接する位置に設けるとともに、座体を不使用位置に回動したとき、当接片が枢軸のほぼ後方に位置するようにする。
【００１０】
（３）上記（１）または（２）項において、脚体が、斜め後ろ上方を向く前脚と、斜め前上方を向く前脚よりも短寸の後脚とからなり、かつ該後脚の上端を、前端部が前脚の前面より前方に突出する連結部材をもって前脚の中間部に結合したものにおいて、当接片の後端を、ネスティングした後方の椅子における前記連結部材の前端面と当接しうるようにする。
【００１１】
【発明の実施の形態】
以下、本発明の実施形態を、図面に基づいて説明する。
図１は、本発明の椅子の正面図、図２は、同じく側面図で、椅子（１）は、左右１対の脚体（２）（２）と、座体（３）と、背凭れ（４）とを備えている。
【００１２】
左右の脚体（２）は、後記する連結部材（１５）により、側面視ほぼ「入」の字状に結合された金属パイプ製の前脚（２ａ）と後脚（２ｂ）とからなり、前脚（２ａ）のほぼ下半部と後脚（２ｂ）は、長円形断面をなしている。
左右の前脚（２ａ）と後脚（２ｂ）の下端には、キャスタ（５）が取付けられている。
【００１３】
左右の前脚（２ａ）の対向面同士は、後脚（２ｂ）の結合部付近において、後記する連結部材（１５）を介して横杆（６）により連結されている。
【００１４】
座体（３）は、図３に示すように、硬質合成樹脂製の浅皿状をなす外シェル（７）と、その上面に嵌着される、若干弾性変形可能な合成樹脂製の平板状の内シェル（８）と、内シェル（８）の上面に載設されるウレタン等のクッション材（９）と、外周縁部を内外のシェル（７）（８）により挟持することにより、クッション材（９）の表面をくるむように止着されるクロス等の表皮材（１０）とからなっている。
なお、上記外シェル（７）と内シェル（８）とにより、座シェルが構成されている。
【００１５】
外シェル（７）におけるやや後方寄りの下面には、左右方向を向くとともに、左右寸法が外シェル（７）の左右幅より若干短寸をなす座体支持部（１１）が下向きに突設されている。
【００１６】
座体支持部（１１）には、左右方向を軸孔（１２）が貫設され、この軸孔（１２）には、枢軸（１３）が、左右両端部を所要寸法突出させて圧入されている（図４、図５参照）。
【００１７】
外シェル（７）の上方を向く縁部（７ａ）の両側面におけるに上記枢軸（１３）と近接する斜め前上方には、図４の拡大縦断面図にも示すように、内シェル（８）及びクッション材（９）と近接する側方において、縁部（７ａ）の上端よりも上方に突出する左右１対（同一形状につき、左方のみ図示する）の当接片（１４）が、上向に一体的に突設されている。
【００１８】
当接片（１４）の上半部は、側面視ほぼ半円板状とされ、かつその周端面は、円弧状の曲面をなしている。
【００１９】
図５は、上記前脚（２ａ）と後脚（２ｂ）及び横杆（６）の結合部と、座体（３）の脚体（２）への枢支部の横断平面図で（左右対称につき、左方のみ図示する）、前脚（２ａ）、後脚（２ｂ）、座体（３）、及び横杆（６）は、全て連結部材（１５）に結合又は枢支されている。
【００２０】
連結部材（１５）は、アルミニウム合金等により形成された内連結部材（１５ａ）と外連結部材（１５ｂ）とからなり、それらの対向面には、前脚（２ａ）の内半分と外半分がそれぞれ嵌合可能な凹溝（１６）（１６）が、前脚（２ａ）と同じ向きに斜め上下方向に向かって形成されている。
【００２１】
また、外連結部材（１５ｂ）の外側面には、後脚（２ｂ）のほぼ内半分が嵌合可能な凹溝（１７）が、後脚（２ｂ）と同じ向きに斜め上下方向に向かって形成されている。
【００２２】
内連結部材（１５ａ）の後面の内方寄りには、座体（３）の支持片（１８）が後向きに突設され、その内面には、上記外シェル（７）の座体支持部（１１）に圧入した枢軸（１３）の突出端部が回動自在に嵌合される有底の枢支孔（１９）が穿設されている。
【００２３】
また、内連結部材（１５ａ）の前面の外方寄りには、座体（３）を上向きに回動させてネスティングする際、隣接する前方の椅子の外シェル（７）に設けた上記当接片（１４）が当接する円弧状のストッパ面（２０）が形成されている。
【００２４】
椅子を組立てるには、まず左右いずれか一方の脚体（２）における前脚（２ａ）の中間部の所定位置を、内連結部材（１５ａ）の凹溝（１６）に嵌合したのち、内連結部材（１５ａ）の外方より挿入した１本のボルト（２１）を、前脚（２ａ）を貫通して内方に突出させ、横杆（６）の側端面に向かって螺合する。
【００２５】
ついで、外連結部材（１５ｂ）の凹溝（１６）を前脚（２ａ）の外半分に嵌合させて、内連結部材（１５ａ）の外端面に当接させるとともに、外連結部材（１５ｂ）の凹溝（１７）に後脚（２ｂ）の上端部を嵌合し、後脚（２ｂ）を貫通させて挿入した上下２本のボルト（２２）（２２）における上部のものを、外連結部材（１５ｂ）、前脚（２ａ）及び内連結部材（１５ａ）を貫通させて、横杆（６）の側端面に螺合し、かつ下方のボルト（２２）を、外連結部材（１５ｂ）と内連結部材（１５ａ）を貫通させて、同じく横杆（６）の側端面に螺合する。
【００２６】
これにより、前脚（２ａ）と後脚（２ｂ）とが結合されて一方の脚体（２）が組立てられるとともに、内連結部材（１５ａ）の内端面に、横杆（６）の一方の側端面が固定される。
【００２７】
ついで、座体（３）における外シェル（７）の枢軸（１３）の一方の端部を、支持片（１８）の枢支孔（１９）に嵌合するとともに、枢軸（１３）の他方の端部を、他方の内連結部材（１５ａ）の支持片（１８）の枢支孔（１９）に嵌合する。
【００２８】
ついで、上述と同じ要領で、他方の脚体（２）を組立てるとともに、横杆（６）の他端部を、他方の内連結部材（１５ａ）の内端面に固定すれば、椅子の組立ては完了する。
【００２９】
（２３）は、ボルト（２２）の頭部を覆うカバーで、外連結部材（１５ｂ）の外面に、皿ねじ（２４）により取付けられている。
【００３０】
座体（３）は、その外シェル（７）における枢軸（１３）と近接する前方の下面が、横杆（６）の上面と当接することにより、ほぼ水平の使用位置に保持される。
【００３１】
また、枢軸（１３）を中心として上向きに回動させると、図６に示すように、座体（３）は、ほぼ垂直の不使用位置に保持され、かつ当接片（１４）は、枢軸（１３）と近接する斜め後ろ上方に位置するようになる。この不使用位置では、外シェル（７）の左右の縁部（７ａ）が背凭れ（４）の左右両端の前面に当接し、クッション材（９）が直接背凭れ（４）に当接しないようになっている。
【００３２】
図６に示すように、使用後の多数の椅子（１）をネスティングして保管する際には、座体（３）を上向きの不使用位置まで回動させたのち、前方の椅子（１）の左右の後脚（２ｂ）間に、後方の椅子（１）の前脚（２ｂ）を入れ込むようにして、順次前後方向に重ねればよい。
【００３３】
この際、図５の２点鎖線でも示すように、前方の椅子（１）の外シェル（７）に突設した左右の当接片（１４）が、後方の椅子（１）における左右の内連結部材（１５ａ）の前面のストッパ面（２０）と当接する。
【００３４】
その結果、前後の椅子（１）の間隔が適正に保たれ、椅子（１）を強く押し込んでネスティングしても、前方の椅子の座体（３）が、後方の椅子の横杆（６）に当接して強く押圧される恐れはなく、クッション材（９）に押圧痕が形成されたり、前方の背凭れ（４）の後面が、後方の外シェル（７）の裏面（前面）に強く当接して、傷を付けたりするのが防止される。
【００３５】
なお、上記実施形態では、ネスティングした際において、前方の椅子の当接片（１４）が後方の椅子の連結部材（１５）に当接するようにしているが、連結部材（１５）を省略した脚体においては、脚体の前面の一部に、当接片（１４）を直接当接させるようにしてもよい。
【００３６】
【発明の効果】
請求項１記載の発明によれば、座体をほぼ垂直をなす不使用位置に回動させてネスティングすると、互いに隣接する前方の椅子の座シェルに突設した当接片が、後方の椅子の脚体の前面と当接して前後の椅子の間隔が適正に保たれるため、椅子を強く押し込んでネスティングしても、前方の椅子の座体が、後方の椅子の横杆等に強く当接することがなくなる。
【００３７】
その結果、座体のクッション材に押圧痕が形成されたり、前方の椅子の背凭れが後方の椅子の座シェルの前面と強く当接して、傷を付けたりするのが防止される。
【００３８】
請求項２記載の発明によれば、当接片に作用する水平方向の押圧荷重が、座体の枢軸付近で受けられるので、前方の椅子の座体が前方に回動する恐れが小さくなる。
【００３９】
請求項３記載の発明によれば、前後の椅子が、それらの当接片と連結部材を介して、前脚と後脚との結合部で当接し合うので、安定したネスティングが可能となる。
また、連結部材は、前脚の前面より前方に突出しているため、当接片の突出寸法をあまり大きくしなくても、ネスティング時において前方の椅子の当接片の後端を、後方の椅子の連結部材の前端に当接させることができる。従って、当接片を設けたことによる違和感が少なく、見栄えが向上する。
【図面の簡単な説明】
【図１】本発明の椅子の正面図である。
【図２】同じく、側面図である。
【図３】座体の分解斜視図である。
【図４】図３のＩＶ−ＩＶ線の拡大縦断正面図である。
【図５】図１のＶ−Ｖ線の拡大横断平面図である。
【図６】椅子をネスティングした状態の側面図である。
【符号の説明】
（１）椅子
（２）脚体
（２ａ）前脚
（２ｂ）後脚
（３）座体
（４）背凭れ
（５）キャスタ
（６）横杆
（７）外シェル（座シェル）
（７ａ）縁部
（８）内シェル（座シェル）
（９）クッション材
（１０）表皮材
（１１）座体支持部
（１２）軸孔
（１３）枢軸
（１４）当接片
（１５）連結部材
（１５ａ）内連結部材
（１５ｂ）外連結部材
（１６）（１７）凹溝
（１８）支持片
（１９）枢支孔
（２０）ストッパ面
（２１）（２２）ボルト
（２３）カバー
（２４）皿ねじ
【図１】
2005040189.tif 000003
【図２】
2005040189.tif 000004
【図３】
2005040189.tif 000005
【図４】
2005040189.tif 000006
【図５】
2005040189.tif 000007
【図６】
2005040189.tif 000008